(57)【特許請求の範囲】
【請求項１】
レンズホルダの天井部に保持され、光学機能部の周囲に一体形成されたフランジを有する光ピックアップ用対物レンズにおいて、光ディスク側に形成された前記フランジの先端部に前記光学機能部を保護するための緩衝部を印刷により直接形成したことを特徴とする光ピックアップ用対物レンズ。
【請求項２】
前記緩衝部は前記フランジの先端部に距離をおいて複数配置したことを特徴とする請求項１に記載の光ピックアップ用対物レンズ。
【請求項３】
前記緩衝部はUV接着剤で形成したことを特徴とする請求項１および請求項２に記載の光ピックアップ用対物レンズ。
【発明の詳細な説明】
【０００１】
【産業上の利用分野】
本発明は、ＣＤ、ＤＶＤ等の光ディスク再生装置または光ディスク記録再生装置に用いられる光ピックアップ用対物レンズに関するものである。
【０００２】
【従来の技術】
近年、光ピックアップ装置はアクセスの高速化が要求されている。アクセスを高速化するためには対物レンズを光ディスク上の目的の場所に早く移動させることが必要である。このため、対物レンズを設置しているレンズユニットは軽量であることが望ましい。
【０００３】
従来の光ピックアップ装置１００およびレンズユニット１０１の構成について図４、図５を参照して説明する。図４は従来の光ピックアップ装置の斜視図である。図５は従来の光ピックアップ用対物レンズのレンズユニットの構成を示す断面概略図である。
【０００４】
従来の光ピックアップ装置１００は、図４に示されるように、ダンパーホルダ１０９から伸びるサスペンダーワイヤ１１０に吊られたレンズユニット１０１を具備している。レンズユニット１０１は、光ディスクの情報記録面にレーザー光を集光させるための対物レンズ１０２と、対物レンズ１０２を保持するためのレンズホルダ１１１と、レンズホルダ１１１に設けられ対物レンズ１０２の表面を保護するための保護カバー１０４と、レンズホルダ１１１に設けられレンズユニット１０１を所定の位置に移動させるためのトラッキングコイル１０７およびフォーカシングコイル１０８を具備している。また、レンズユニット１０１は一対のヨーク１１２に設けられたマグネット１０６に挟まれた状態に位置付けられている。
【０００５】
また、対物レンズ１０２は光学機能部１０５を有し、光学機能部１０５の周囲にはフランジ１０３が設けられている。フランジ１０３はレンズホルダ１１１に固定されている。レンズホルダ１１１にはトラッキングコイル１０７およびフォーカスコイル１０８が取り付けられており、光ディスク１１３に対してトラック方向およびフォーカス方向に位置調節ができるように駆動可能となっている。このように、トラッキングコイル１０７およびフォーカスコイル１０８の作用により対物レンズ１０２の位置調節をし、光ディスク１１３のピットにレーザー光を集光させて光ディスク１１３の情報を記録再生することができる。
【０００６】
また、対物レンズ１０２の光学機能部１０５と光ディスク１１３との距離は通常３ｍｍ程度であり、振動およびフォーカス方向への位置調節による誤作動等により対物レンズ１０２と光ディスク１１３が接触し、双方に傷が付くことがある。そこで、従来のレンズユニット１０１では、レンズホルダ１１１の光ディスク１１３側に対物レンズ１０２を覆うような形状の保護カバー１０４を設けて、光学機能部１０５と光ディスク１１３が直接接触することを防止している。
【０００７】
【発明が解決しようとする課題】
しかしながら、前記のような光ピックアップ装置は対物レンズの保護カバーをレンズホルダに設置しているためにレンズホルダが重くなりアクセスの高速化を阻害することとなる。また、レンズホルダに保護カバーを設けることにより、対物レンズ側に重量バランスが傾き、高速アクセス時に慣性力による対物レンズの振れが大きくなる。このことが、光ピックアップ装置のアクセスの高速化を低下させる一因となっていた。
【０００８】
本発明はこのような状況に鑑みなされたもので、光ピックアップ装置の可動部のであるレンズユニットの軽量化が可能で、さらに、高速アクセス時の対物レンズの安定化が可能な光ピックアップ用対物レンズを提供することを課題とする。
【０００９】
【課題を解決するための手段】
前記課題を解決するために、請求項１に係る本発明の光ピックアップ用対物レンズは、レンズホルダの天井部に保持され、光学機能部の周囲に一体形成されたフランジを有する光ピックアップ用対物レンズにおいて、光ディスク側に形成された前記フランジの先端部に前記光学機能部を保護するための緩衝部を印刷により直接形成したことを特徴としている。
【００１０】
前記請求項１に記載の構成において、光ピックアップ用対物レンズの光ディスク側に設けられたフランジの先端部に緩衝部を設けることにより光ディスクとの接触から光学機能部が保護される。また、緩衝部が対物レンズのフランジに直接設けられているため、レンズユニットの軽量化が可能である。
【００１１】
つぎに、請求項２に係る本発明の光ピックアップ用対物レンズは、前記緩衝部を前記フランジの先端部に距離をおいて複数配置したことを特徴としている。
【００１２】
前記請求項２に記載の構成において、緩衝部を距離をおいて複数配置したことにより、距離を離した部分の緩衝部が必要なくなるためさらなる軽量化が可能となる。
【００１３】
つぎに、請求項３に係る本発明の光ピックアップ用対物レンズは、前記緩衝部をＵＶ接着剤で形成したことを特徴としている。
【００１４】
前記請求項３に記載の構成において、緩衝部をＵＶ接着剤で形成したことにより、接着剤のみで緩衝部を形成できるため、レンズユニットは軽量でかつ製造が容易となる。
【００１５】
【発明の実施の形態】
以下、本発明の光ピックアップ用対物レンズの実施の形態の構成例を図面を参照して説明する。図１は本発明の実施の形態に係る光ピックアップ装置のレンズユニットの一部を示す断面概略図である。図２は本発明の第一の実施の形態に係る光ピックアップ用対物レンズを示す上面図である。図３は本発明の第二の実施の形態に係る光ピックアップ用対物レンズを示す上面図である。各図において同一の構成要素には、同一の符号を付して重複説明を省略する。
【００１６】
本発明の実施例に係る光ピックアップ用対物レンズ２は図１に示すように、レンズホルダ６の天井部に保持されてレンズユニット１を形成している。このレンズユニット１には、トラッキングコイルおよびフォーカシングコイルが設けられ、図４に示される従来のレンズユニット１０１と同様に配置されるものである。
【００１７】
（第一実施形態）本発明の第一実施形態の光ピックアップ用対物レンズ２について図１、図２に基づいて説明する。本発明の光ピックアップ用対物レンズ２は光ディスク７のピットにレーザー光を集光させるための光学機能部５と、光学機能部５の周囲に環状に一体形成されたフランジ３を備えている。このフランジ３の先端部に沿って円形状にＵＶ接着剤を印刷し、その後、紫外線を照射することによって硬化させ緩衝部４ａが形成される。
【００１８】
このように光ピックアップ用対物レンズ２に設けられたフランジ３の先端部にＵＶ接着剤を印刷し緩衝部４を形成することで、光学機能部５の表面と光ディスク７が直接接触することを防止することができる。また、フランジ３の先端部にＵＶ接着剤を直接印刷するといった簡単な構成であるためレンズユニット１は軽量で製造が容易となる。
【００１９】
また、前記のような構成によりレンズホルダ６の天井部が軽量化されレンズユニット１は重量バランスが安定する。このことにより高速アクセス時の慣性力による対物レンズ２の振れは少なくなる。
【００２０】
（第二実施形態）本発明の第二実施形態の光ピックアップ用対物レンズ２について図１、図３に基づいて説明する。本発明の光ピックアップ用対物レンズ２は光ディスク７のピットにレーザー光を集光させるための光学機能部５と、光学機能部５の周囲に環状に一体形成されたフランジ３を備えている。このフランジ３の先端部に距離をおいて３個所にＵＶ接着剤を印刷し、このＵＶ接着剤に紫外線を照射することによって硬化させ緩衝部４ｂが形成される。
【００２１】
このように光ピックアップ用対物レンズ２のフランジ３の先端部にＵＶ接着剤を印刷し緩衝部４ｂを形成することで、光学機能部５の表面と光ディスク７が接触することを防止することができる。また、フランジ３の先端部にＵＶ接着剤を距離をおいて印刷したことにより距離を離した部分の緩衝部が必要なくなる。このことによりレンズユニット１はさらなる軽量化が可能となる。
【００２２】
なお、以上の実施形態では、緩衝部４をＵＶ接着剤としたが、他の構成によることも可能である。例えば光ディスクよりも硬度の低い樹脂等を接着した構成であっても良い。また、緩衝部はシリコン形のゲルまたはゴムで形成してもよい。また、前記第二実施形態では緩衝部を３個所としたが、複数であれば何個所でもよい。
【００２３】
【発明の効果】
以上説明したように本発明によれば、光ピックアップ装置の可動部のであるレンズユニットの軽量化が可能で、さらに、高速アクセス時の対物レンズの安定化が可能な光ピックアップ用対物レンズを提供することが可能となる。
【図面の簡単な説明】
【図１】本発明の実施形態に係る光ピックアップ装置のレンズユニットの一部を示す断面概略図。
【図２】本発明の第一実施形態に係る光ピックアップ用対物レンズを示す上面図。
【図３】本発明の第二実施形態に係る光ピックアップ用対物レンズを示す上面図。
【図４】従来の光ピックアップ装置の斜視図。
【図５】従来の光ピックアップ用対物レンズのレンズユニットの一部を示す断面概略図。
【符号の説明】
１  レンズユニット
２  対物レンズ
３  フランジ
４、４ａ、４ｂ  緩衝部
５  光学機能部
６  レンズホルダ
７  光ディスク
１００  光ピックアップ装置
１０１  レンズユニット
１０４  保護カバー
１０７  トラッキングコイル
１０８  フォーカシングコイル
【図１】
0003637318.tif 000002
【図２】
0003637318.tif 000003
【図３】
0003637318.tif 000004
【図４】
0003637318.tif 000005
【図５】
0003637318.tif 000006